(57)【要約】【課題】視覚的、触覚的に直接血管の状態を説明できるようにした血管モデル表示器を提供する。【解決手段】血管モデル表示器１０は、長方形の板状に形成された表示器本体１２を有する。この表示器本体１２には、例えば２つの支持孔１６、１８が上下平行に形成されており、上部に配置された第１の支持孔１６には第１の血管モデル２０が、第２の支持孔１８には第２の血管モデル２２がそれぞれ嵌合支持されている。第１の血管モデル２０は、例えば若くて弾力がある血管のモデルを示し、第２の血管モデル２２よりも柔らかい材料から構成されている。第２の血管モデル２２は、硬くなった血管のモデルを示し、この第２の血管モデル２２の内面２２ａには、アテロームに類似して形成された凹凸部２２ｅが形成されている。【選択図】  図１
2006119375.tif 000002
【特許請求の範囲】
【請求項１】
表示器本体と、この表示器本体に設けられた血管モデルの組み合わせとを有し、この血管モデルの組み合わせは、弾性体から形成された第１の血管モデルと、この第１の血管モデルよりも硬い弾性体から構成された第２の血管モデルとを有する血管モデル表示器。
【請求項２】
前記第１の血管モデル及び第２の血管モデルは、それぞれ断面半円形状に形成された外面と内面とを有し、それぞれの外面と内面とが前記表示器本体の表面と裏面に表れるように前記表示器本体に支持されてなる請求項１記載の血管モデル表示器。
【請求項３】
前記表示器本体は長方形状の少なくとも２つの支持孔が形成され、該支持孔に前記第１の血管モデル及び第２の血管モデルをそれぞれの弾性をもって嵌合支持してなる請求項２記載の血管モデル表示器。
【請求項４】
前記第１の血管モデルの内面は、実質的に平滑である請求項２又は３記載の血管モデル表示器。
【請求項５】
前記第２の血管モデルの内面は、アテロームに類似した凹凸を有する請求項２乃至４いずれか記載の血管モデル表示器。
【発明の詳細な説明】
【技術分野】
【０００１】
本発明は、血管モデルを表示する血管モデル表示器に関する。
【背景技術】
【０００２】
食生活の変化、運動不足、高齢化等に伴って例えば動脈硬化のように血管機能が低下したことを検査することは有用である。従来、血管機能を検査するための指標としてＰＷＶが知られている。ＰＷＶとは、心臓からの脈波が所定部位まで伝播する速度をいう。伸展性の良い動脈では、ゴムチューブのように脈波が血管壁に吸収され、ＰＷＶは遅くなる。動脈硬化により伸展性が失われた動脈では、鉄パイプのように衝撃の緩衝力が失われるため、ＰＷＶは速くなる。このようなＰＷＶを指標の一つとすることは広く知られている（例えば特許文献１）。
【０００３】
【特許文献１】特開２００３−２５０７６９号公報
【発明の開示】
【発明が解決しようとする課題】
【０００４】
しかしながら、従来においては、このような血管の状態を簡易に表すものがなく、動脈硬化について分かりやすく説明することが困難であった。
【０００５】
本発明は、上記従来の問題点を解消し、視覚的、触覚的に直接血管の状態を説明できるようにした血管モデル表示器を提供することにある。
【課題を解決するための手段】
【０００６】
本発明の特徴とするところは、表示器本体と、この表示器本体に設けられた血管モデルの組み合わせとを有し、この血管モデルの組み合わせは、弾性体から形成された第１の血管モデルと、この第１の血管モデルよりも硬い弾性体から構成された第２の血管モデルとを有する血管モデル表示器にある。したがって、第１の血管モデルと第２の血管モデルとの弾性が異なり、それぞれを触ることにより簡単に血管の状態を知ることができ、血管の状態を簡単に説明することができる。
【０００７】
好適には、前記第１の血管モデル及び第２の血管モデルは、それぞれ断面半円形状に形成された外面と内面とを有し、それぞれの外面と内面とが前記表示器本体の表面と裏面に表れるように前記表示器本体に支持されてなる。
【０００８】
また、好適には、前記表示器本体は長方形状の少なくとも２つの支持孔が形成され、該支持孔に前記第１の血管モデル及び第２の血管モデルをそれぞれの弾性をもって嵌合支持してなる。
【０００９】
また、好適には、前記第１の血管モデルの内面は、実質的に平滑である。
【００１０】
また、好適には、前記第２の血管モデルの内面は、アテロームに類似した凹凸を有する。
【発明の効果】
【００１１】
本発明によれば、第１の血管モデルと第２の血管モデルとの弾性が異なり、それぞれを触ることにより簡単に血管の状態を知ることができる。
【発明を実施するための最良の形態】
【００１２】
以下、本発明に係る実施形態を図面により説明する。
【００１３】
図１乃至図３において、血管モデル表示器１０の概略が示されている。図１は正面図であり、表面を表す。図２は背面図であり、裏面を表す。図３は側面図である。この血管モデル表示器１０は、長方形の板状に形成された表示器本体１２を有する。この表示器本体１２は、血管モデルの説明を記載した例えば紙を、例えばポリ塩化ビニル等の透明樹脂でラミネートして構成されている。この表示器本体１０は、台座１４に垂直あるいはやや斜めに支持されている。
【００１４】
上記
【００１５】
上記表示器本体１２には、横長の長方形に形成された例えば２つの支持孔１６、１８が上下平行に形成されている。上部に配置された第１の支持孔１６には第１の血管モデル２０が、第２の支持孔１８には第２の血管モデル２２がそれぞれ嵌合支持されている。
【００１６】
図４及び図５にも示すように、第１の血管モデル２０は、例えば血管を長手方向半分に切断したモデルであり、例えばゴム等で血管に類似した色に着色されており、断面半円形の内面２０ａと同じく断面半円形の外面２０ｂとを有する。この第１の血管モデル２０は、例えば若くて弾力がある血管のモデルを示し、第２の血管モデル２２よりも柔らかい弾性体から構成されている。また、この第１の血管モデル２０の内面２０ａは、実質的に平滑に形成されている。第１の血管モデル２０には、鍔部２０ｃ、２０ｄが内面２０ａ及び外面２０ｂの上下端からそれぞれ上下方向に延びるように形成されている。前述した第１の支持孔１６の短方向の長さは、第１の血管モデル２０の外面２０ｂの上下端間の長さよりもやや短く形成され、長手方向の長さは、第１の血管モデル２０の内面２０ａ及び外面２０ｂの左右端間の長さと略同じに形成されている。そして、第１の血管モデル２０は、上下方向に若干縮まり、外面２０ｂの上下端が第１の支持孔１６の上下端に嵌合し、鍔部２０ｃ、２０ｄが第１の支持孔１６の裏面周辺に嵌合して、第１の支持孔１６に該第１の血管モデル２０の弾性をもって嵌合支持されている。
【００１７】
図６にも示すように、第２の血管モデル２２は、第１の血管モデル２０と同様に、例えば血管を長手方向半分に切断したモデルであり、例えばゴム等で血管に類似した色に着色されており、断面半円形の内面２２ａと同じく断面半円形の外面２２ｂとを有する。この第２の血管モデル２２は、例えば硬くなった血管のモデルを示し、第１の血管モデル２０よりも硬い弾性体から構成されている。また、この第２の血管モデル２２の内面２２ａには、アテロームに類似して形成された凹凸部２２ｅが形成されている。また、第２の血管モデル２２には、鍔部２２ｃ、２２ｄが内面２２ａ及び外面２２ｂの上下端からそれぞれ上下方向に延びるように形成されている。前述した第２の支持孔１８の短方向の長さは、第２の血管モデル２２の外面２２ｂの上下端間の長さよりもやや短く形成され、長手方向の長さは、第２の血管モデル２２の内面２２ａ及び外面２２ｂの左右端間の長さと略同じに形成されている。そして、第２の血管モデル２２は、上下方向に若干縮まり、外面２２ｂの上下端が第２の支持孔１８の上下端に嵌合し、鍔部２２ｃ、２２ｄが第２の支持孔１８の裏面周辺に嵌合して、第２の支持孔１８に該第２の血管モデル２２の弾性をもって嵌合支持されている。
【００１８】
表示器本体１２の表面には、「さわってみてください。」との表示がなされており、実際に第１の血管モデル２０と第２の血管モデル２２とを触ってみると、第１の血管モデル２０の方が第２の血管モデル２２よりも柔らかいことが理解される。表示器本体１２には、「血管は第２の心臓です。若い弾力ある血管は、しなやかに伸びたり縮んだりして心臓の働きを助けてくれます。」と記載があり、このことが触覚的に理解することができる。
【００１９】
一方、表示器本体１２の裏面には、「若い弾力ある血管は、しなやかに伸びたり縮んだりして心臓のポンプを助け、心臓に負担をかけることなく、十分な血液を臓器・抹消に送ることができます。」との記載が第１の血管モデル２０の下部にあり、「硬くなった血管は、伸びたり縮んだりできないために、十分な血液を臓器・抹消に送ることができず、心臓に負担がかかってしまいます。」との記載が第２の血管モデル２２の下部にある。したがって、第１の血管モデル２０と第２の血管モデル２２とを実際に触ってみることにより、上記の記載事項を理解することができる。特に第１の血管モデル２０の内面２０ａは平滑であり、第２の血管モデル２２の内面２２ａは、アテロームに類似した凹凸部２２ｅが形成されているので、これを触ることにより、さらに血管に対する理解を深めることができる。
【産業上の利用可能性】
【００２０】
以上述べたように、本発明は、血管の状態を視覚的、触覚的に説明する場合に利用することができるものである。
【図面の簡単な説明】
【００２１】
【図１】本発明の実施形態に係る血管モデル表示器を示す正面図である。
【図２】本発明の実施形態に係る血管モデル表示器を示す背面図である。
【図３】本発明の実施形態に係る血管モデル表示器を示す側面図である。
【図４】本発明の実施形態に用いた第１の血管モデルを示す斜視図である。
【図５】本発明の実施形態に用いた第１の血管モデルを示す側面図である。
【図６】本発明の実施形態に用いた第２の血管モデルを示す側面図である。
【符号の説明】
【００２２】
１０  血管モデル表示器
１２  表示器本体
１４  台座
１６  第１の支持孔
１８  第２の支持孔
２０  第１の血管モデル
２０ａ  内面
２０ｂ  外面
２０ｃ、２０ｄ  鍔部
２２  第２の血管モデル
２２ａ  内面
２２ｂ  外面
２２ｃ、２２ｄ  鍔部
２２ｅ  凹凸部
【図１】
2006119375.tif 000003
【図２】
2006119375.tif 000004
【図３】
2006119375.tif 000005
【図４】
2006119375.tif 000006
【図５】
2006119375.tif 000007
【図６】
2006119375.tif 000008